(57)【要約】【課題】本発明は着用式浴室玩具を開示した。【解決手段】外側玩具を含み、前記外側玩具の中には中空区域が設けられ、前記外側玩具の中には吸水部品が設けられ、前記吸水部品が押ボタンを含み、前記吸水部品がまた前記外側玩具の中に設置されるクランクチャンバを含み、前記クランクチャンバの中には入力軸が回転できるように係合取付けられ、入力軸の左側端面には吸水できる羽根が固定的に取付けられ、前記吸水部品の左右両側には水噴き部品が接続され、前記水噴き部品が前記外側玩具の中に設置される噴霧ヘッドと水噴きヘッドを含み、前記外側玩具には固定縄が固定的に接続され、前記固定縄のもう一端には弾性リングが固定的に接続され、前記弾性リングの中には着用部品が設けられている。【選択図】図１
2020157034.tif 000002
【特許請求の範囲】
【請求項１】
外側玩具を含み、前記外側玩具の中には中空区域が設けられ、前記外側玩具の中には吸水部品が設けられ、前記吸水部品が押ボタンを含み、前記吸水部品がまた前記外側玩具の中に設置されるクランクチャンバを含み、前記クランクチャンバの中には入力軸が回転できるように係合取付けられ、入力軸の左側端面には吸水できる羽根が固定的に取付けられ、前記吸水部品の左右両側には水噴き部品が連結され、前記水噴き部品が前記外側玩具の中に設置される噴霧ヘッドと水噴きヘッドを含み、前記外側玩具には固定縄が固定的に連結され、前記固定縄のもう一端には弾性リングが固定的に連結され、前記弾性リングの中には着用部品が設けられ、前記着用部品が前記弾性リングの内側に固定的に取付けられるゴムリングを含み、ゴムリングが直接に皮膚と接触し、前記着用部品がまた前記弾性リングに固定的に取付けられる固定筐体を含み、前記弾性リングの外側には締めベルトが固定的に取付けられ、前記固定筐体の中には固定爪チャンバが設けられ、前記チャンバ固定爪チャンバの中には前記締めベルトに引っかかる固定爪が設けられていることを特徴とする着用式浴室玩具。
【請求項２】
前記吸水部品は前記クランクチャンバの前側に設置される復帰チャンバを含み、前記クランクチャンバが前記外側玩具の中に設置され、前記クランクチャンバの前側内壁と前記外側玩具の前側端面との間にはスライドロッドがスライドできるように係合され、前記押ボタンが前記スライドロッドの頂部端面に固定的に取付けられ、前記スライドロッドにはリミットブロックが固定的に取付けられ、前記リミットブロックと前記復帰チャンバの後側内壁との間には復帰バネが固定的に取付けられ、前記スライドロッドの後側末端には連結ロッドが回転できるように係合取付けられ、前記クランクチャンバの左側にはファンチャンバが設けられ、前記入力軸が前記ファンチャンバと前記クランクチャンバとの間に回転できるように係合取付けられ、前記入力軸が前記連結ロッドと回転できるように係合取付けられ、前記羽根が前記入力軸の左側端面に固定的に取付けられ、前記ファンチャンバの後側内壁には前記外側玩具の後側端面と連通する吸水パイプが設けられ、前記吸水パイプには逆止弁Ａが設けられ、前記ファンチャンバの左側内壁の中には水送りパイプが設けられ、前記水送りパイプの中には逆止弁Ｂが設けられている；手動で押ボタンを押す時、押ボタンが入力軸を回転連動させ、入力軸の回転によって浴槽内の水を吸い上げることができ、復帰バネによってボタンを復帰させることを特徴とする請求項１に記載の着用式浴室玩具。
【請求項３】
前記水噴き部品は、前記外側玩具の中に設置され、且つ、連通パイプと連通する貯水チャンバＡと貯水チャンバＢとを含み、前記噴霧ヘッドが前記外側玩具に固定的に取付けられ、且つ前記貯水チャンバＡと連通し、前記水噴きヘッドが前記外側玩具に固定的に取付けられ、且つ前記貯水チャンバＢと連通し、前記連通パイプが前記水送りパイプと連通している；これにより水が水送りパイプを経由して連通パイプへ流れ、噴霧ヘッドと水噴きヘッドによって噴出されることを特徴とする請求項１に記載の着用式浴室玩具。
【請求項４】
前記着用部品はまた前記弾性リングに設置される挿入ロッドと挿入溝を含み、前記挿入ロッドが前記挿入溝とスライドできるように係合されることができ、前記弾性リングが前記外側玩具に固定的に取付けられる固定縄によって前記外側玩具と固定的に係合取付けられ、前記ゴムリングが前記弾性リングの内側に固定的に取付けられ、前記締めベルトには固定歯が設けられ、前記固定筐体が前記弾性リングの外側に固定的に取付けられ、前記固定筐体の中には貫通する固定溝が設けられ、前記締めベルトが前記固定溝を通り抜け、前記固定爪チャンバが前記固定筐体の中に設置され、且つ前記固定溝の上側内壁と連通し、前記固定爪チャンバと前記固定筐体の上側端面との間にはプッシュブロックがスライドできるように係合取付けられ、前記プッシュブロックの上側端面には緩めボタンが固定的に取付けられ、前記固定爪が前記固定爪チャンバの前後内壁の間にヒンジによって係合取付けられ、前記固定爪が前記締めベルトにおける固定歯に引っかかることができ、前記固定爪には制限ブロックが固定的に取付けられ、前記固定爪と前記固定爪チャンバの底壁との間には固定バネが固定的に取付けられている；これにより玩具を身に付けた後に、締めベルトに固定溝を通させて固定爪にしっかりと引っかかり、取り外す時、緩めボタンを押し、緩めボタンが固定爪を押し動かして締めベルトとの引っ掛かり状態から離脱させ、締めベルトを固定溝の中から取り出すことができ、玩具を取り外すことができることを特徴とする請求項１に記載の着用式浴室玩具。
【発明の詳細な説明】
【技術分野】
【０００１】
本発明は児童用品分野に関し、具体的には着用式浴室玩具である。
【背景技術】
【０００２】
子供がシャワーしている時、背中等なかなか手が届かないところを洗いにくいのであり、しかも水遊び好きで、転がってしまう恐れもある；また、大人にシャワーを強引されると、人身制限とか身が縛られる気がして嫌になる子もいる；それで、シャワー時に安全を保証でき、子供が楽しめる便利な浴室玩具が必要である。
【先行技術文献】
【特許文献】
【０００３】
【特許文献１】中国特許出願公開第１０６０２９１９１号明細書
【発明の概要】
【発明が解決しようとする課題】
【０００４】
本発明の目的は着用式浴室玩具を提供し、それは上記の現在の技術中の問題を解決できる。
【課題を解決するための手段】
【０００５】
本発明は以下の技術プランを通じて実現する：本発明の着用式浴室玩具は、外側玩具を含み、前記外側玩具の中には中空区域が設けられ、前記外側玩具の中には吸水部品が設けられ、前記吸水部品が押ボタンを含み、前記吸水部品がまた前記外側玩具の中に設置されるクランクチャンバを含み、前記クランクチャンバの中には入力軸が回転できるように係合取付けられ、入力軸の左側端面には吸水できる羽根が固定的に取付けられ、前記吸水部品の左右両側には水噴き部品が連結され、前記水噴き部品が前記外側玩具の中に設置される噴霧ヘッドと水噴きヘッドを含み、前記外側玩具には固定縄が固定的に連結され、前記固定縄のもう一端には弾性リングが固定的に連結され、前記弾性リングの中には着用部品が設けられ、前記着用部品が前記弾性リングの内側に固定的に取付けられるゴムリングを含み、ゴムリングが直接に皮膚と接触し、前記着用部品がまた前記弾性リングに固定的に取付けられる固定筐体を含み、前記弾性リングの外側には締めベルトが固定的に取付けられ、前記固定筐体の中には固定爪チャンバが設けられ、前記チャンバ固定爪チャンバの中には前記締めベルトに引っかかる固定爪が設けられている。
【０００６】
さらなる技術プラン、前記吸水部品は前記クランクチャンバの前側に設置される復帰チャンバを含み、前記クランクチャンバが前記外側玩具の中に設置され、前記クランクチャンバの前側内壁と前記外側玩具の前側端面との間にはスライドロッドがスライドできるように係合され、前記押ボタンが前記スライドロッドの頂部端面に固定的に取付けられ、前記スライドロッドにはリミットブロックが固定的に取付けられ、前記リミットブロックと前記復帰チャンバの後側内壁との間には復帰バネが固定的に取付けられ、前記スライドロッドの後側末端には連結ロッドが回転できるように係合取付けられ、前記クランクチャンバの左側にはファンチャンバが設けられ、前記入力軸が前記ファンチャンバと前記クランクチャンバとの間に回転できるように係合取付けられ、前記入力軸が前記連結ロッドと回転できるように係合取付けられ、前記羽根が前記入力軸の左側端面に固定的に取付けられ、前記ファンチャンバの後側内壁には前記外側玩具の後側端面と連通する吸水パイプが設けられ、前記吸水パイプには逆止弁Ａが設けられ、前記ファンチャンバの左側内壁の中には水送りパイプが設けられ、前記水送りパイプの中には逆止弁Ｂが設けられている。
【０００７】
さらなる技術プラン、前記水噴き部品は、前記外側玩具の中に設置され、且つ、連通パイプと連通する貯水チャンバＡと貯水チャンバＢとを含み、前記噴霧ヘッドが前記外側玩具に固定的に取付けられ、且つ前記貯水チャンバＡと連通し、前記水噴きヘッドが前記外側玩具に固定的に取付けられ、且つ前記貯水チャンバＢと連通し、前記連通パイプが前記水送りパイプと連通している。
【０００８】
さらなる技術プラン、前記着用部品はまた前記弾性リングに設置される挿入ロッドと挿入溝を含み、前記挿入ロッドが前記挿入溝とスライドできるように係合されることができ、前記弾性リングが前記外側玩具に固定的に取付けられる固定縄によって前記外側玩具と固定的に係合取付けられ、前記ゴムリングが前記弾性リングの内側に固定的に取付けられ、前記締めベルトには固定歯が設けられ、前記固定筐体が前記弾性リングの外側に固定的に取付けられ、前記固定筐体の中には貫通する固定溝が設けられ、前記締めベルトが前記固定溝を通り抜け、前記固定爪チャンバが前記固定筐体の中に設置され、且つ前記固定溝の上側内壁と連通し、前記固定爪チャンバと前記固定筐体の上側端面との間にはプッシュブロックがスライドできるように係合取付けられ、前記プッシュブロックの上側端面には緩めボタンが固定的に取付けられ、前記固定爪が前記固定爪チャンバの前後内壁の間にヒンジによって係合取付けられ、前記固定爪が前記締めベルトにおける固定歯に引っかかることができ、前記固定爪には制限ブロックが固定的に取付けられ、前記固定爪と前記固定爪チャンバの底壁との間には固定バネが固定的に取付けられている。
【発明の効果】
【０００９】
本発明の有益効果は：本発明は子供の水遊び好きという天性に対応し、浴槽内の水を吸い上げて体に噴き、入浴している子供の背中などなかなか手が届かないところにも水が噴かれるし、肌応えが良くて入浴も楽しめるし、入浴に便利であって体を保護でき、宣伝価値がある。
【図面の簡単な説明】
【００１０】
【図１】図１は本発明の全体構成略図である；
【図２】図２は図１のＡ―Ａの断面構成略図である；
【図３】図３は図１のＢの拡大略図である。
【発明を実施するための形態】
【００１１】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１２】
図１−３を参照し、本発明の実施例の着用式浴室玩具は、外側玩具１０を含み、前記外側玩具１０の中には中空区域５０が設けられ、前記外側玩具１０の中には吸水部品が設けられ、前記吸水部品８０が押ボタン３１を含み、前記吸水部品８０がまた前記外側玩具１０の中に設置されるクランクチャンバ３０を含み、前記クランクチャンバ３０の中には入力軸２９が回転できるように係合取付けられ、入力軸２９の左側端面には吸水できる羽根２８が固定的に取付けられ、前記吸水部品８０の左右両側には水噴き部品８１が連結され、前記水噴き部品８１が前記外側玩具１０の中に設置される噴霧ヘッド１７と水噴きヘッド１３を含み、前記外側玩具１０には固定縄１８が固定的に連結され、前記固定縄１８のもう一端には弾性リング１９が固定的に連結され、前記弾性リング１９の中には着用部品が設けられ、前記着用部品が前記弾性リング１９の内側に固定的に取付けられるゴムリング２４を含み、ゴムリング２４が直接に皮膚と接触し、前記着用部品８２がまた前記弾性リング１９に固定的に取付けられる固定筐体３７を含み、前記弾性リング１９の外側には締めベルト２０が固定的に取付けられ、前記固定筐体３７の中には固定爪チャンバ４１が設けられ、前記チャンバ固定爪チャンバ４１の中には前記締めベルト２０に引っかかる固定爪４３が設けられている。
【００１３】
有益なまた例を示すように、前記吸水部品８０は前記クランクチャンバ３０の前側に設置される復帰チャンバ３３を含み、前記クランクチャンバ３０が前記外側玩具１０の中に設置され、前記クランクチャンバ３０の前側内壁と前記外側玩具１０の前側端面との間にはスライドロッド３２がスライドできるように係合され、前記押ボタン３１が前記スライドロッド３２の頂部端面に固定的に取付けられ、前記スライドロッド３２にはリミットブロック３４が固定的に取付けられ、前記リミットブロック３４と前記復帰チャンバ３３の後側内壁との間には復帰バネ３５が固定的に取付けられ、前記スライドロッド３２の後側末端には連結ロッド３６が回転できるように係合取付けられ、前記クランクチャンバ３０の左側にはファンチャンバ２３が設けられ、前記入力軸２９が前記ファンチャンバ２３と前記クランクチャンバ３０との間に回転できるように係合取付けられ、前記入力軸２９が前記連結ロッド３６と回転できるように係合取付けられ、前記羽根２８が前記入力軸２９の左側端面に固定的に取付けられ、前記ファンチャンバ２３の後側内壁には前記外側玩具１０の後側端面と連通する吸水パイプ２７が設けられ、前記吸水パイプ２７には逆止弁Ａ２６が設けられ、前記ファンチャンバ２３の左側内壁の中には水送りパイプ１５が設けられ、前記水送りパイプ１５の中には逆止弁Ｂ２５が設けられている；手動で押ボタン３１を押す時、押ボタン３１が入力軸２９を回転連動させ、入力軸２９の回転によって浴槽内の水を吸い上げることができ、復帰バネ３５によってボタンを復帰させる。
【００１４】
有益なまた例を示すように、前記水噴き部品８１は、前記外側玩具１０の中に設置され、且つ、連通パイプ１１と連通する貯水チャンバＡ１６と貯水チャンバＢ１２とを含み、前記噴霧ヘッド１７が前記外側玩具１０に固定的に取付けられ、且つ前記貯水チャンバＡ１６と連通し、前記水噴きヘッド１３が前記外側玩具１０に固定的に取付けられ、且つ前記貯水チャンバＢ１２と連通し、前記連通パイプ１１が前記水送りパイプ１５と連通している；これにより水が水送りパイプ１５を経由して連通パイプ１１へ流れ、噴霧ヘッド１７と水噴きヘッド１３によって噴出される。
【００１５】
有益なまた例を示すように、前記着用部品８２はまた前記弾性リング１９に設置される挿入ロッド２１と挿入溝２２を含み、前記挿入ロッド２１が前記挿入溝２２とスライドできるように係合されることができ、前記弾性リング１９が前記外側玩具１０に固定的に取付けられる固定縄１８によって前記外側玩具１０と固定的に係合取付けられ、前記ゴムリング２４が前記弾性リング１９の内側に固定的に取付けられ、前記締めベルト２０には固定歯が設けられ、前記固定筐体３７が前記弾性リング１９の外側に固定的に取付けられ、前記固定筐体３７の中には貫通する固定溝４５が設けられ、前記締めベルト２０が前記固定溝４５を通り抜け、前記固定爪チャンバ４１が前記固定筐体３７の中に設置され、且つ前記固定溝４５の上側内壁と連通し、前記固定爪チャンバ４１と前記固定筐体３７の上側端面との間にはプッシュブロック４０がスライドできるように係合取付けられ、前記プッシュブロック４０の上側端面には緩めボタン３９が固定的に取付けられ、前記固定爪４３が前記固定爪チャンバ４１の前後内壁の間にヒンジによって係合取付けられ、前記固定爪４３が前記締めベルト２０における固定歯に引っかかることができ、前記固定爪４３には制限ブロック４２が固定的に取付けられ、前記固定爪４３と前記固定爪チャンバ４１の底壁との間には固定バネ４４が固定的に取付けられている；これにより玩具を身に付けた後に、締めベルト２０に固定溝４５を通させて固定爪にしっかりと引っかかり、取り外す時、緩めボタン３９を押し、緩めボタン３９が固定爪４３を押し動かして締めベルトとの引っ掛かり状態から離脱させ、締めベルト２０を固定溝４５の中から取り出すことができ、玩具を取り外すことができる。
【００１６】
使用する時：玩具を身に付けた後、締めベルト２０に固定溝４５を通させて固定爪に引っかかり、玩具が身に付けられ、押ボタン３１を手動で押す時、押ボタン３１が入力軸２９を回転連動させ、入力軸２９が回転して浴槽内の水を吸い上げることができ、復帰バネ３５によってボタンが復帰し、吸い上げた水が水送りパイプ１５を通して連通パイプ１１に流れた後、噴霧ヘッド１７と水噴きヘッド１３によって体に噴き、取り外す時、緩めボタン３９を押し、緩めボタン３９が固定爪４３を押し動かして締めベルトとの引っ掛かり状態から離脱させ、締めベルト２０を固定溝４５の中から取り出すことができ、玩具を取り外すことができる。
【００１７】
本発明の有益効果は：本発明は子供の水遊び好きという天性に対応し、浴槽内の水を吸い上げて体に噴き、入浴している子供の背中などなかなか手が届かないところにも水が噴かれるし、肌応えが良くて入浴も楽しめるし、入浴に便利であって体を保護でき、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157034.tif 000003
【図２】
2020157034.tif 000004
【図３】
2020157034.tif 000005
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
外側玩具を含み、前記外側玩具の中には中空区域が設けられ、前記外側玩具の中には吸水部品が設けられ、前記吸水部品が押ボタンを含み、前記吸水部品がまた前記外側玩具の中に設置されるクランクチャンバを含み、前記クランクチャンバの中には入力軸が回転できるように係合取付けられ、入力軸の左側端面には吸水できる羽根が固定的に取付けられ、前記吸水部品の左右両側には水噴き部品が連結され、前記水噴き部品が前記外側玩具の中に設置される噴霧ヘッドと水噴きヘッドを含み、前記外側玩具には固定縄が固定的に連結され、前記固定縄のもう一端には弾性リングが固定的に連結され、前記弾性リングの中には着用部品が設けられ、前記着用部品が前記弾性リングの内側に固定的に取付けられるゴムリングを含み、ゴムリングが直接に皮膚と接触し、前記着用部品がまた前記弾性リングに固定的に取付けられる固定筐体を含み、前記弾性リングの外側には締めベルトが固定的に取付けられ、前記固定筐体の中には固定爪チャンバが設けられ、前記固定爪チャンバの中には前記締めベルトに引っかかる固定爪が設けられていることを特徴とする着用式浴室玩具。
【請求項２】
前記吸水部品は前記クランクチャンバの前側に設置される復帰チャンバを含み、前記クランクチャンバが前記外側玩具の中に設置され、前記クランクチャンバの前側内壁と前記外側玩具の前側端面との間にはスライドロッドがスライドできるように係合され、前記押ボタンが前記スライドロッドの頂部端面に固定的に取付けられ、前記スライドロッドにはリミットブロックが固定的に取付けられ、前記リミットブロックと前記復帰チャンバの後側内壁との間には復帰バネが固定的に取付けられ、前記スライドロッドの後側末端には連結ロッドが回転できるように係合取付けられ、前記クランクチャンバの左側にはファンチャンバが設けられ、前記入力軸が前記ファンチャンバと前記クランクチャンバとの間に回転できるように係合取付けられ、前記入力軸が前記連結ロッドと回転できるように係合取付けられ、前記羽根が前記入力軸の左側端面に固定的に取付けられ、前記ファンチャンバの後側内壁には前記外側玩具の後側端面と連通する吸水パイプが設けられ、前記吸水パイプには逆止弁Ａが設けられ、前記ファンチャンバの左側内壁の中には水送りパイプが設けられ、前記水送りパイプの中には逆止弁Ｂが設けられている；手動で押ボタンを押す時、押ボタンが入力軸を回転連動させ、入力軸の回転によって浴槽内の水を吸い上げることができ、復帰バネによってボタンを復帰させることを特徴とする請求項１に記載の着用式浴室玩具。
【請求項３】
前記水噴き部品は、前記外側玩具の中に設置され、且つ、連通パイプと連通する貯水チャンバＡと貯水チャンバＢとを含み、前記噴霧ヘッドが前記外側玩具に固定的に取付けられ、且つ前記貯水チャンバＡと連通し、前記水噴きヘッドが前記外側玩具に固定的に取付けられ、且つ前記貯水チャンバＢと連通し、前記連通パイプが前記水送りパイプと連通している；これにより水が水送りパイプを経由して連通パイプへ流れ、噴霧ヘッドと水噴きヘッドによって噴出されることを特徴とする請求項２に記載の着用式浴室玩具。
【請求項４】
前記着用部品はまた前記弾性リングに設置される挿入ロッドと挿入溝を含み、前記挿入ロッドが前記挿入溝とスライドできるように係合されることができ、前記弾性リングが前記外側玩具に固定的に取付けられる固定縄によって前記外側玩具と固定的に係合取付けられ、前記ゴムリングが前記弾性リングの内側に固定的に取付けられ、前記締めベルトには固定歯が設けられ、前記固定筐体が前記弾性リングの外側に固定的に取付けられ、前記固定筐体の中には貫通する固定溝が設けられ、前記締めベルトが前記固定溝を通り抜け、前記固定爪チャンバが前記固定筐体の中に設置され、且つ前記固定溝の上側内壁と連通し、前記固定爪チャンバと前記固定筐体の上側端面との間にはプッシュブロックがスライドできるように係合取付けられ、前記プッシュブロックの上側端面には緩めボタンが固定的に取付けられ、前記固定爪が前記固定爪チャンバの前後内壁の間にヒンジによって係合取付けられ、前記固定爪が前記締めベルトにおける固定歯に引っかかることができ、前記固定爪には制限ブロックが固定的に取付けられ、前記固定爪と前記固定爪チャンバの底壁との間には固定バネが固定的に取付けられている；これにより玩具を身に付けた後に、締めベルトに固定溝を通させて固定爪にしっかりと引っかかり、取り外す時、緩めボタンを押し、緩めボタンが固定爪を押し動かして締めベルトとの引っ掛かり状態から離脱させ、締めベルトを固定溝の中から取り出すことができ、玩具を取り外すことができることを特徴とする請求項１に記載の着用式浴室玩具。
【手続補正２】
【補正対象書類名】明細書
【補正対象項目名】全文
【補正方法】変更
【補正の内容】
【発明の詳細な説明】
【技術分野】
【０００１】
本発明は児童用品分野に関し、具体的には着用式浴室玩具である。
【背景技術】
【０００２】
子供がシャワーしている時、背中等なかなか手が届かないところを洗いにくいのであり、しかも水遊び好きで、転がってしまう恐れもある；また、大人にシャワーを強引されると、人身制限とか身が縛られる気がして嫌になる子もいる；それで、シャワー時に安全を保証でき、子供が楽しめる便利な浴室玩具が必要である。
【先行技術文献】
【特許文献】
【０００３】
【特許文献１】中国特許出願公開第１０６０２９１９１号明細書
【発明の概要】
【発明が解決しようとする課題】
【０００４】
本発明の目的は着用式浴室玩具を提供し、それは上記の現在の技術中の問題を解決できる。
【課題を解決するための手段】
【０００５】
本発明は以下の技術プランを通じて実現する：本発明の着用式浴室玩具は、外側玩具を含み、前記外側玩具の中には中空区域が設けられ、前記外側玩具の中には吸水部品が設けられ、前記吸水部品が押ボタンを含み、前記吸水部品がまた前記外側玩具の中に設置されるクランクチャンバを含み、前記クランクチャンバの中には入力軸が回転できるように係合取付けられ、入力軸の左側端面には吸水できる羽根が固定的に取付けられ、前記吸水部品の左右両側には水噴き部品が連結され、前記水噴き部品が前記外側玩具の中に設置される噴霧ヘッドと水噴きヘッドを含み、前記外側玩具には固定縄が固定的に連結され、前記固定縄のもう一端には弾性リングが固定的に連結され、前記弾性リングの中には着用部品が設けられ、前記着用部品が前記弾性リングの内側に固定的に取付けられるゴムリングを含み、ゴムリングが直接に皮膚と接触し、前記着用部品がまた前記弾性リングに固定的に取付けられる固定筐体を含み、前記弾性リングの外側には締めベルトが固定的に取付けられ、前記固定筐体の中には固定爪チャンバが設けられ、前記固定爪チャンバの中には前記締めベルトに引っかかる固定爪が設けられている。
【０００６】
さらなる技術プラン、前記吸水部品は前記クランクチャンバの前側に設置される復帰チャンバを含み、前記クランクチャンバが前記外側玩具の中に設置され、前記クランクチャンバの前側内壁と前記外側玩具の前側端面との間にはスライドロッドがスライドできるように係合され、前記押ボタンが前記スライドロッドの頂部端面に固定的に取付けられ、前記スライドロッドにはリミットブロックが固定的に取付けられ、前記リミットブロックと前記復帰チャンバの後側内壁との間には復帰バネが固定的に取付けられ、前記スライドロッドの後側末端には連結ロッドが回転できるように係合取付けられ、前記クランクチャンバの左側にはファンチャンバが設けられ、前記入力軸が前記ファンチャンバと前記クランクチャンバとの間に回転できるように係合取付けられ、前記入力軸が前記連結ロッドと回転できるように係合取付けられ、前記羽根が前記入力軸の左側端面に固定的に取付けられ、前記ファンチャンバの後側内壁には前記外側玩具の後側端面と連通する吸水パイプが設けられ、前記吸水パイプには逆止弁Ａが設けられ、前記ファンチャンバの左側内壁の中には水送りパイプが設けられ、前記水送りパイプの中には逆止弁Ｂが設けられている。
【０００７】
さらなる技術プラン、前記水噴き部品は、前記外側玩具の中に設置され、且つ、連通パイプと連通する貯水チャンバＡと貯水チャンバＢとを含み、前記噴霧ヘッドが前記外側玩具に固定的に取付けられ、且つ前記貯水チャンバＡと連通し、前記水噴きヘッドが前記外側玩具に固定的に取付けられ、且つ前記貯水チャンバＢと連通し、前記連通パイプが前記水送りパイプと連通している。
【０００８】
さらなる技術プラン、前記着用部品はまた前記弾性リングに設置される挿入ロッドと挿入溝を含み、前記挿入ロッドが前記挿入溝とスライドできるように係合されることができ、前記弾性リングが前記外側玩具に固定的に取付けられる固定縄によって前記外側玩具と固定的に係合取付けられ、前記ゴムリングが前記弾性リングの内側に固定的に取付けられ、前記締めベルトには固定歯が設けられ、前記固定筐体が前記弾性リングの外側に固定的に取付けられ、前記固定筐体の中には貫通する固定溝が設けられ、前記締めベルトが前記固定溝を通り抜け、前記固定爪チャンバが前記固定筐体の中に設置され、且つ前記固定溝の上側内壁と連通し、前記固定爪チャンバと前記固定筐体の上側端面との間にはプッシュブロックがスライドできるように係合取付けられ、前記プッシュブロックの上側端面には緩めボタンが固定的に取付けられ、前記固定爪が前記固定爪チャンバの前後内壁の間にヒンジによって係合取付けられ、前記固定爪が前記締めベルトにおける固定歯に引っかかることができ、前記固定爪には制限ブロックが固定的に取付けられ、前記固定爪と前記固定爪チャンバの底壁との間には固定バネが固定的に取付けられている。
【発明の効果】
【０００９】
本発明の有益効果は：本発明は子供の水遊び好きという天性に対応し、浴槽内の水を吸い上げて体に噴き、入浴している子供の背中などなかなか手が届かないところにも水が噴かれるし、肌応えが良くて入浴も楽しめるし、入浴に便利であって体を保護でき、宣伝価値がある。
【図面の簡単な説明】
【００１０】
【図１】図１は本発明の全体構成略図である；
【図２】図２は図１のＡ―Ａの断面構成略図である；
【図３】図３は図１のＢの拡大略図である。
【発明を実施するための形態】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
図１−３を参照し、本発明の実施例の着用式浴室玩具は、外側玩具１０を含み、前記外側玩具１０の中には中空区域５０が設けられ、前記外側玩具１０の中には吸水部品が設けられ、前記吸水部品８０が押ボタン３１を含み、前記吸水部品８０がまた前記外側玩具１０の中に設置されるクランクチャンバ３０を含み、前記クランクチャンバ３０の中には入力軸２９が回転できるように係合取付けられ、入力軸２９の左側端面には吸水できる羽根２８が固定的に取付けられ、前記吸水部品８０の左右両側には水噴き部品８１が連結され、前記水噴き部品８１が前記外側玩具１０の中に設置される噴霧ヘッド１７と水噴きヘッド１３を含み、前記外側玩具１０には固定縄１８が固定的に連結され、前記固定縄１８のもう一端には弾性リング１９が固定的に連結され、前記弾性リング１９の中には着用部品が設けられ、前記着用部品が前記弾性リング１９の内側に固定的に取付けられるゴムリング２４を含み、ゴムリング２４が直接に皮膚と接触し、前記着用部品８２がまた前記弾性リング１９に固定的に取付けられる固定筐体３７を含み、前記弾性リング１９の外側には締めベルト２０が固定的に取付けられ、前記固定筐体３７の中には固定爪チャンバ４１が設けられ、前記固定爪チャンバ４１の中には前記締めベルト２０に引っかかる固定爪４３が設けられている。
【００１３】
有益なまた例を示すように、前記吸水部品８０は前記クランクチャンバ３０の前側に設置される復帰チャンバ３３を含み、前記クランクチャンバ３０が前記外側玩具１０の中に設置され、前記クランクチャンバ３０の前側内壁と前記外側玩具１０の前側端面との間にはスライドロッド３２がスライドできるように係合され、前記押ボタン３１が前記スライドロッド３２の頂部端面に固定的に取付けられ、前記スライドロッド３２にはリミットブロック３４が固定的に取付けられ、前記リミットブロック３４と前記復帰チャンバ３３の後側内壁との間には復帰バネ３５が固定的に取付けられ、前記スライドロッド３２の後側末端には連結ロッド３６が回転できるように係合取付けられ、前記クランクチャンバ３０の左側にはファンチャンバ２３が設けられ、前記入力軸２９が前記ファンチャンバ２３と前記クランクチャンバ３０との間に回転できるように係合取付けられ、前記入力軸２９が前記連結ロッド３６と回転できるように係合取付けられ、前記羽根２８が前記入力軸２９の左側端面に固定的に取付けられ、前記ファンチャンバ２３の後側内壁には前記外側玩具１０の後側端面と連通する吸水パイプ２７が設けられ、前記吸水パイプ２７には逆止弁Ａ２６が設けられ、前記ファンチャンバ２３の左側内壁の中には水送りパイプ１５が設けられ、前記水送りパイプ１５の中には逆止弁Ｂ２５が設けられている；手動で押ボタン３１を押す時、押ボタン３１が入力軸２９を回転連動させ、入力軸２９の回転によって浴槽内の水を吸い上げることができ、復帰バネ３５によってボタンを復帰させる。
【００１４】
有益なまた例を示すように、前記水噴き部品８１は、前記外側玩具１０の中に設置され、且つ、連通パイプ１１と連通する貯水チャンバＡ１６と貯水チャンバＢ１２とを含み、前記噴霧ヘッド１７が前記外側玩具１０に固定的に取付けられ、且つ前記貯水チャンバＡ１６と連通し、前記水噴きヘッド１３が前記外側玩具１０に固定的に取付けられ、且つ前記貯水チャンバＢ１２と連通し、前記連通パイプ１１が前記水送りパイプ１５と連通している；これにより水が水送りパイプ１５を経由して連通パイプ１１へ流れ、噴霧ヘッド１７と水噴きヘッド１３によって噴出される。
【００１５】
有益なまた例を示すように、前記着用部品８２はまた前記弾性リング１９に設置される挿入ロッド２１と挿入溝２２を含み、前記挿入ロッド２１が前記挿入溝２２とスライドできるように係合されることができ、前記弾性リング１９が前記外側玩具１０に固定的に取付けられる固定縄１８によって前記外側玩具１０と固定的に係合取付けられ、前記ゴムリング２４が前記弾性リング１９の内側に固定的に取付けられ、前記締めベルト２０には固定歯が設けられ、前記固定筐体３７が前記弾性リング１９の外側に固定的に取付けられ、前記固定筐体３７の中には貫通する固定溝４５が設けられ、前記締めベルト２０が前記固定溝４５を通り抜け、前記固定爪チャンバ４１が前記固定筐体３７の中に設置され、且つ前記固定溝４５の上側内壁と連通し、前記固定爪チャンバ４１と前記固定筐体３７の上側端面との間にはプッシュブロック４０がスライドできるように係合取付けられ、前記プッシュブロック４０の上側端面には緩めボタン３９が固定的に取付けられ、前記固定爪４３が前記固定爪チャンバ４１の前後内壁の間にヒンジによって係合取付けられ、前記固定爪４３が前記締めベルト２０における固定歯に引っかかることができ、前記固定爪４３には制限ブロック４２が固定的に取付けられ、前記固定爪４３と前記固定爪チャンバ４１の底壁との間には固定バネ４４が固定的に取付けられている；これにより玩具を身に付けた後に、締めベルト２０に固定溝４５を通させて固定爪にしっかりと引っかかり、取り外す時、緩めボタン３９を押し、緩めボタン３９が固定爪４３を押し動かして締めベルトとの引っ掛かり状態から離脱させ、締めベルト２０を固定溝４５の中から取り出すことができ、玩具を取り外すことができる。
【００１６】
使用する時：玩具を身に付けた後、締めベルト２０に固定溝４５を通させて固定爪に引っかかり、玩具が身に付けられ、押ボタン３１を手動で押す時、押ボタン３１が入力軸２９を回転連動させ、入力軸２９が回転して浴槽内の水を吸い上げることができ、復帰バネ３５によってボタンが復帰し、吸い上げた水が水送りパイプ１５を通して連通パイプ１１に流れた後、噴霧ヘッド１７と水噴きヘッド１３によって体に噴き、取り外す時、緩めボタン３９を押し、緩めボタン３９が固定爪４３を押し動かして締めベルトとの引っ掛かり状態から離脱させ、締めベルト２０を固定溝４５の中から取り出すことができ、玩具を取り外すことができる。
【００１７】
本発明の有益効果は：本発明は子供の水遊び好きという天性に対応し、浴槽内の水を吸い上げて体に噴き、入浴している子供の背中などなかなか手が届かないところにも水が噴かれるし、肌応えが良くて入浴も楽しめるし、入浴に便利であって体を保護でき、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。